(57)【要約】【課題】最初の塗布液供給時、短時間で塗布可能となる塗布具を提供する。【解決手段】塗布具１は、ペン体２と、ペン体２の後端に接続される塗布液吸蔵体３と、塗布液８を直に貯溜する塗布液タンク７と、塗布液タンク７と塗布液吸蔵体３との間を接続する連通管６とからなる。連通管５２を複数備える。塗布液吸蔵体３と塗布液タンク７との間に隔壁５１を設ける。隔壁５１前面より前方に連通管５２の各々を突出させる。連通管５２の各々の前端を塗布液吸蔵体３内部に位置させる。隔壁５１の後面より後方に、塗布液タンク７の前端開口部内に挿着可能な接続管５３を突出させる。接続管５３内に位置する隔壁５１に、前記各々の連通管５２内の流通路５２ａを貫通させる。【選択図】  図１
2010253379.tif 000002
【特許請求の範囲】
【請求項１】
多孔質材料からなるペン体と、該ペン体の後端に接続される多孔質材料からなる塗布液吸蔵体と、該塗布液吸蔵体の後方に配置され、塗布液を直に貯溜する塗布液タンクと、該塗布液タンクと塗布液吸蔵体との間を接続する連通管とからなる塗布具であって、
前記連通管を複数備え、前記連通管の各々の前端が開口され、前記連通管の各々の前端が塗布液吸蔵体内部に位置されてなることを特徴とする塗布具。
【請求項２】
前記連通管の各々の前端を塗布液吸蔵体の後端から前方に挿入し、塗布液吸蔵体の内部を前方に押圧圧縮することによって、前記連通管の各々の前端近傍の塗布液吸蔵体の密度を、前記連通管の各々の前端近傍以外の部分の塗布液吸蔵体の密度より高く設定した請求項１記載の塗布具。
【請求項３】
塗布液吸蔵体と塗布液タンクとの間に隔壁を設け、前記隔壁前面より前方に前記連通管の各々を突出させ、前記隔壁の後面より後方に、塗布液タンクの前端開口部に挿着可能な接続管を突出させ、前記接続管内に位置する隔壁に、各々の連通管内の流通路を貫通させ、前記塗布液タンクが接続管に着脱自在に挿着される請求項１または２記載の塗布具。
【請求項４】
前記塗布液が水である請求項１、２または３記載の塗布具。
【発明の詳細な説明】
【技術分野】
【０００１】
本発明は、塗布具に関する。
【背景技術】
【０００２】
特許文献１には、ペン先と、該ペン先が接続された塗布液吸蔵体と、塗布液を収容するカートリッジと、該カートリッジ内部と塗布液吸蔵体とを接続する塗布液導出部材とを備えた塗布具が開示されている。
【先行技術文献】
【特許文献】
【０００３】
【特許文献１】実公平６−３２２２０号公報
【発明の概要】
【発明が解決しようとする課題】
【０００４】
前記文献１の塗布具は、最初の塗布液供給時（塗布液を塗布液吸蔵体に最初に供給するとき）、カートリッジ内部から塗布液がペン先に迅速に供給できず、塗布可能となるまでにかなりの時間を要する。
【０００５】
本発明は、前記従来の問題点を解決するものであって、最初の塗布液供給時、短時間で塗布可能となる塗布具を提供しようとするものである。
尚、本発明において、「前」とはペン体側を指し、「後」とはその反対側を指す。
【課題を解決するための手段】
【０００６】
＜１＞本願の第１の発明は、多孔質材料からなるペン体と、該ペン体の後端に接続される多孔質材料からなる塗布液吸蔵体と、該塗布液吸蔵体の後方に配置され、塗布液を直に貯溜する塗布液タンクと、該塗布液タンクと塗布液吸蔵体との間を接続する連通管とからなる塗布具であって、前記連通管を複数備え、前記連通管の各々の前端が開口され、前記連通管の各々の前端が塗布液吸蔵体内部に位置されてなることを要件とする。
【０００７】
前記第１の発明の塗布具において、連通管は、その各々が、塗布液タンク内の塗布液を塗布液吸蔵体の内部に供給する機能と、外気を塗布液タンク内に供給する機能とを備える。塗布液タンク内の塗布液を塗布液吸蔵体に供給する際、ペン体を下向き状態にすると、重力により塗布液タンク内の塗布液が、少なくとも一つの連通管を通って、塗布液吸蔵体に供給され、塗布液吸蔵体内部において含浸される。それと同時に、外気が他の連通管を通って塗布液タンク内に取り込まれる。
【０００８】
前記塗布液吸蔵体の内部に含浸された塗布液が一定量になると、前記外気を取り込んでいた他の連通管の前端開口部が、前記含浸塗布液による液シール状態となり一時的に閉鎖され、塗布液タンク内への外気の供給は停止される。それと同時に、前記塗布液供給を行っていた連通管による塗布液タンクから塗布液吸蔵体への塗布液の供給も停止され、その結果、連通管の各々の前端開口部が液シール状態となり一時的に閉鎖され、塗布液タンクからの塗布液の流出と塗布液タンクへの空気の流入（即ち塗布液と空気の交替）が停止状態となる。
【０００９】
前記第１の発明の塗布具は、前記連通管の各々の前端が塗布液吸蔵体内部に位置する構成であるため、連通管の各々の前端開口部の全てを、塗布液吸蔵体の内部に含浸された塗布液の液シールによって容易に閉鎖することができる。その結果、塗布液タンクから塗布液吸蔵体に過剰の塗布液を供給することがなく、ペン体側より外部に塗布液が漏出するおそれがない。
【００１０】
また、前記第１の発明の塗布具は、連通管を複数本（即ち２本以上）、有することにより、少なくとも一つの連通管が塗布液供給を行う場合、他の連通管が空気供給を行うことになる。そのため、最初の塗布液供給時（即ち、塗布液が含浸されていない塗布液吸蔵体に最初に塗布液を供給する場合）に迅速に塗布液と空気との交替が行われ、短時間で塗布可能となる。
【００１１】
＜２＞本願の第２の発明は、前記第１の発明の塗布具において、前記連通管の各々の前端を塗布液吸蔵体の後端から前方に挿入し、塗布液吸蔵体の内部を前方に押圧圧縮することによって、前記連通管の各々の前端近傍の塗布液吸蔵体の密度を、前記連通管の各々の前端近傍以外の部分の塗布液吸蔵体の密度より高く設定したことを要件とする。
【００１２】
前記第２の発明の塗布具は、塗布液吸蔵体が、連通管の各々の前端近傍の密度を高く設定した部分（高密度部）と、連通管の各々の前端近傍以外の密度を低く設定した部分（低密度部）とを備える。そのため、塗布液吸蔵体内部における塗布液を、低密度部よりも高密度部に、優先して含浸させることができる。それにより、連通管の各々の前端開口部を含浸塗布液によって、確実に液シールできる。その結果、温度低下等により塗布液タンク内の圧力が減少した際、塗布液吸蔵体内に含浸された塗布液が、塗布液吸蔵体内に残留することがなく、塗布液吸蔵体の高密度部から連通管を通って、適正に塗布液タンク内に戻される。
【００１３】
また、前記第２の発明の塗布具は、塗布液吸蔵体の密度差（即ち塗布液吸蔵体の高密度部と低密度部）を、連通管の各々の前端を前記塗布液吸蔵体の後端から前方に挿入し、塗布液吸蔵体の内部を前方に押圧圧縮することによって形成するため、連通管を塗布液吸蔵体に組み込む前に、予め塗布液吸蔵体に密度差を設ける必要がなく、製造が極めて容易となる。
【００１４】
＜３＞本願の第３の発明は、前記第１または第２の発明の塗布具において、塗布液吸蔵体と塗布液タンクとの間に隔壁を設け、前記隔壁前面より前方に前記連通管の各々を突出させ、前記隔壁の後面より後方に、塗布液タンクの前端開口部に挿着可能な接続管を突出させ、前記接続管内に位置する隔壁に、各々の連通管内の流通路を貫通させ、前記塗布液タンクが接続管に着脱自在に挿着されることを要件とする。
【００１５】
前記第３の発明の塗布具は、隔壁の後面より後方に、塗布液タンクの前端開口部内に挿着可能な接続管を突出させ、前記接続管内に位置する隔壁に、前記各々の連通管内の流通路を貫通させてなることにより、接続管を塗布液タンクの前端開口部内に挿着するだけで、容易に、塗布液タンク内と塗布液吸蔵体内との間が、複数の連通管を介して塗布液及び空気の流通が可能なように接続される。それにより、塗布液タンクと接続管とを接続すると、迅速に塗布液と空気との交替が行われ、短時間で筆記可能となる。
【００１６】
前記第３の発明の塗布具において、塗布液タンクを交換可能にし、前記塗布液タンクの前端開口部を栓体により閉鎖し、塗布液タンクの前端開口部に接続管を挿着して栓体を押圧除去することにより塗布液タンクを開栓する構成が好ましい。
【００１７】
＜４＞本願の第４の発明は、前記第１、第２または第３の発明の塗布具において、前記塗布液が水であることを要件とする。
【００１８】
前記第４の発明の塗布具は、塗布液が水であることにより、塗布液が手や衣類に付着しても汚れる心配がない。また、前記第４の発明の塗布具により、前記第１、第２、または第３の発明の効果を備えた、水を塗布する塗布具を得る。尚、前記水は、防腐剤、防カビ剤等が添加されることが好ましく、それにより、長期間にわたり、塗布液の腐敗、カビの発生等の変質を防止できる。また、前記水は、無色透明（着色剤が無添加）であることが、塗布液が手や衣類に付着しても汚れる心配がない点でより一層好ましい。
【００１９】
（連通管）
尚、本発明で、前記連通管は、一定の剛性を備える点で、合成樹脂製または金属製であることが好ましい。また、前記連通管の外周面及び内周面の横断面形状は、例えば、円形、楕円、または３角形、４角形等の多角形等、いずれであってもよい。また、前記連通管の本数は、複数本（即ち２本以上）であればよく、例えば、２本、３本、４本、５本または６本等が挙げられる。
【００２０】
また、前記連通管の各々は、前後方向に延設され、その各々の内部に流通路が前後方向に貫設される。また、前記複数本の連通管とは、その内部に独立した複数の流通路が並列に形成された構成であればよく、例えば、各々の連通管が径方向に離隔した構成、各々連通管の側壁が互いに連結した構成、または大径の連通管の内部に小径の連通管を配置した構成等が挙げられる。
【００２１】
また、前記連通管の各々の前端は、ペン体を中心とする同一円周上に等間隔に位置することが好ましい。また、前記連通管の各々の前端は、軸方向前方に開口してもよいし、径方向外方に開口してもよい。前記連通管の各々の前端の形状は、例えば、傾斜カット面、垂直面、円錐面、凸曲面等が挙げられる。また、前記連通管の各々の後端は、隔壁後面より後方に突出し、塗布液タンク内または接続管内に位置する構成でもよい。
【００２２】
また、前記連通管内部に、毛細間隙を有する塗布液吸収体（例えば、繊維加工体、連続気泡発泡体等の多孔質材料）を収容してもよい。前記塗布液吸収体の毛細管力は、塗布液吸蔵体内部の連通管の各々の前端近傍部分（高密度部）の毛細管力よりも、小さく設定されることが好ましい。
【００２３】
（塗布液吸蔵体）
尚、本発明で、前記塗布液吸蔵体は、塗布液を含浸可能な連続気孔を有する部材（即ち多孔質材料）からなるものであればよく、例えば、繊維束の熱融着加工体、繊維束の樹脂加工体、フェルトの樹脂加工体、フェルトのニードルパンチ加工体、合成樹脂の連続気泡体等が挙げられる。また、前記塗布液吸蔵体は、その外周面に合成樹脂フィルム等よりなる外皮を備える構成でもよい。前記塗布液吸蔵体は、単一の部材であってもよいし、毛細管力の異なる複数の部材であってもよい。
【００２４】
（ペン体）
尚、本発明で、前記ペン体は、塗布液吸蔵体と適正に接続し且つ前端に塗布液を誘導可能な毛細管力を有する連続気孔を備えた部材（即ち多孔質材料）からなるものであればよく、例えば、繊維束の樹脂加工体、繊維束の熱融着加工体、フェルト加工体、合成樹脂の多孔質気泡体等が挙げられる。
【００２５】
（塗布液）
本発明において、前記塗布液は、例えば、皮膚、頭皮、唇、口腔、毛髪、まゆ毛、まつ毛、唇、歯、爪等の人体の一部に塗布する液体が挙げられる。前記人体に塗布する塗布液は、薬液（例えば、虫除け液、虫刺され治療液、消毒液、筋肉痛治療液、肩こり治療液、水虫治療液等）、または、化粧液（香水、染毛液、発毛液、育毛液、制汗液、歯のホワイトニング液、マスカラ液、アイライナー液、口紅用液、マニキュア液、除光液、日焼け止め液、しわ伸ばし液、化粧水、美容液等）が挙げられる。
【００２６】
本発明において、前記塗布液は、例えば、繊維、紙、皮革、木、金属、樹脂、ゴム、ガラス、セラミック、コンクリート、タイル、石材に塗布する液体が挙げられる。さらに、前記塗布液は、例えば、繊維、紙、皮革、木、金属、樹脂、ゴム、ガラス、セラミック、コンクリート、タイル、石材等からなる表面を清浄化するクリーニング液であることが好ましい。前記クリーニング液は、具体的には、衣類等の染み抜き液、メガネクリーナー用液、床用のクリーナー液、壁用のクリーナー液、窓用のクリーナー液、ＣＤやＤＶＤのクリーナー液、ＯＡ用クリーナー液、電気接点のクリーナー液、車用ハンディウォッシャー液、風呂用ハンディウォッシャー液、貴金属のクリーナー液、家電製品のクリーナー液、水等が挙げられる。
【００２７】
本発明において、前記塗布液は、例えば、潤滑液、曇り止め液等の親水液、撥水液、液体洗濯糊、液体接着剤、接着剤のプライマー液、調理用油、錆び落とし液、靴墨液等が挙げられる。
【発明の効果】
【００２８】
本発明の塗布具は、最初の塗布液供給時、短時間で塗布可能となる。
【図面の簡単な説明】
【００２９】
【図１】本発明の実施の形態のペン体下向き状態を示す縦断面図である。
【図２】（１）が図１のＡ−Ａ線拡大断面図、（２）が図１のＢ−Ｂ線拡大断面図、（３）が図１のＣ−Ｃ線拡大断面図である。
【発明を実施するための形態】
【００３０】
図１及び図２に本発明の実施の形態を示す。
本実施の形態の塗布具１は、ペン体２と、前記ペン体２後端に接続される塗布液吸蔵体３と、前記塗布液吸蔵体３の後方に配置される中間部材５と、前記中間部材５の後方に配置される塗布液タンク７と、前端部で前記ペン体２を保持し且つ内部に前記塗布液吸蔵体３、前記中間部材５、及び前記塗布液タンク７を収容する軸筒４と、前記軸筒４の後端開口部に着脱自在に螺着される尾栓６とからなる。
【００３１】
・ペン体
前記ペン体２は、合成樹脂製繊維（例えば、ポリエステル繊維、アクリル繊維、ナイロン繊維等）の樹脂加工により得られる棒状体である。前記ペン体２の前端は、砲弾状に研削される。前記ペン体２の後端部外周面は、テーパ状に面取りされる。
【００３２】
・塗布液吸蔵体
前記塗布液吸蔵体３は、円柱状の合成樹脂製繊維（例えば、ポリエステル繊維）の加工体よりなる。前記塗布液吸蔵体３の外周面には、円筒状の外皮が被覆されている。前記外皮は、合成樹脂製フィルム（例えば、ポリエチレンテレフタレート製フィルム）よりなる。前記塗布液吸蔵体３の前端面の軸心にペン体２の後端が突き刺し挿入され、前記ペン体２の後端が前記塗布液吸蔵体３の内部前方に位置される。
【００３３】
・軸筒
前記軸筒４は、合成樹脂（例えば、ポリプロピレン、ポリエチレン等）の射出成形により得られる筒状体である。前記軸筒４は、ペン体２外周面を保持する先細部４１と、該先細部４１より後方に連設され、塗布液吸蔵体３及び隔壁５１及び塗布液タンク７が収容される本体部４２とからなる。
【００３４】
前記軸筒４の内面（即ち先細部４１の内面から本体部４２の前部内面まで）には、前後方向に延びる複数本のリブ４３が一体に形成される。前記リブ４３には、前記軸筒４の先細部４１と本体部４２との接続部の近傍において、段形状の規制壁部４３ａが形成される。前記規制壁部４３ａに塗布液吸蔵体３の前端面が軸方向に当接し、前記本体部４２の前部内面のリブ４３に塗布液吸蔵体３の外周面が圧接保持される。前記先細部４１内面のリブ４３により、ペン体２の外周面が圧接保持される。前記リブ４３の、前記ペン体３外周面を保持する箇所と、前記塗布液吸蔵体３外周面を保持する箇所との間に、筒状壁部４３ｂが一体に形成される。
【００３５】
前記リブ４３により、塗布液吸蔵体３の外周面と本体部４２の内面との間、塗布液吸蔵体３の前端面と軸筒４内面との間、及びペン体２外周面と先細部４１内面との間に、空気通路１０が形成される。前記空気通路１０の前側は、軸筒４の前端より外部に開口されるとともに、前記空気通路１０の後側は、塗布液吸蔵体３の後端面と連通している。即ち、前記空気通路１０により、塗布液吸蔵体３の前端面及び塗布液吸蔵体３の後端面が、外気と連通される。
【００３６】
・中間部材
前記中間部材５は、合成樹脂（例えば、ポリプロピレン、ポリエチレン等）の射出成形より得られる。前記中間部材５は、前記塗布液吸蔵体３と塗布液タンク７とを区画する隔壁５１と、前記隔壁５１の前面より前方に突出され且つ塗布液吸蔵体３の内部に突き刺し接続される複数本（具体的には２本）の連通管５２と、前記隔壁５１の後面より後方に突出され且つ塗布液タンク７の前端開口部に挿着される接続管５３と、前記隔壁５１の後面より後方に突出し且つ軸筒４内面（本体部４２内面）に固着される取付筒部５４とを備える。軸筒４及び隔壁５１によって形成される空間（即ち吸蔵体収容部）に、塗布液吸蔵体３が収容される。本実施の形態において、前記取付筒部５４は接続管５３の基部外周を包囲している。前記接続管５３には栓体７１の片側を押圧するため突片５３ａが一体に形成される。前記隔壁５１は円板状であり、前記各々の連通管５２、前記接続管５３、前記取付筒部５４は、円筒状である。
【００３７】
前記隔壁５１、各々の連通管５２、接続管５３、及び取付筒部５４は一体に連設される。即ち、中間部材５により、隔壁５１、連通管５２、接続管５３、及び取付筒部５４が１部品を構成できる。
【００３８】
・当接壁部
図２（２）に示すように、隔壁５１の前面には、板状のリブよりなる当接壁部５１ａが一体に形成される。前記当接壁部５１ａが塗布液吸蔵体３の後端面と当接される。前記当接壁部５１ａにより、前記隔壁５１と前記塗布液吸蔵体３の後端面との間には、外気と連通する隙間９が形成される。前記隙間９は、前記空気通路１０を介して、外気と連通される。前記当接壁部５１ａは、横断面放射状（ここでは十字状）に形成される。前記当接壁部５１ａの一部は各々の連通管５２の基部の間に形成され、各々の連通管５２の基部側壁が連結される。それにより、各々の連結管の屈曲強度が向上し、各々の連通管５２の隔壁５１に対する折れ曲がりを抑えることができる。
【００３９】
・連通管
前記連通管５２の各々の内部には、軸方向に流通路５２ａが設けられ、前記流通路５２ａが、前記連通管５２の各々の両端にて開口される。前記連通管５２の各々の前端は、塗布液吸蔵体３の内部前方に開口され、前記連通管５２の各々の後端は、塗布液吸蔵体３後方の塗布液タンク７内に開口される。前記各々の連通管５２は、塗布液吸蔵体３と塗布液タンク７との間に並列に配置されるため、塗布液吸蔵体３と、その後方の塗布液タンク７との間に、独立した複数本の流通路５２ａが並列に設けられる。前記連通管５２の各々の流通路５２ａは、接続管５３内に位置する隔壁５１の、軸心より離れた箇所に貫通される。
【００４０】
前記連通管５２の各々の前端は、塗布液吸蔵体３の後端から前方に突き刺し挿入され、最後は塗布液吸蔵体３の内部前方のペン体２後端近傍に位置される。前記連通管５２の各々の前端が塗布液吸蔵体３に突き刺し挿入される際、連通管５２の各々の前端が塗布液吸蔵体３の繊維を前方に押圧圧縮する。それにより、各々の連通管５２の前端近傍の塗布液吸蔵体３の繊維密度が、連通管５２の各々の前端近傍以外の部分の塗布液吸蔵体３の繊維密度よりも高く設定される。即ち、塗布液吸蔵体３内部に、繊維密度の高い高密度部３１と、繊維密度の低い低密度部３２が形成される。前記連通管５２の各々の前端は塗布液吸蔵体３の内部前方（塗布液吸蔵体の前半部の内部）に位置しているため、塗布液吸蔵体３の内部前方に前記高密度部３１が形成され、前記高密度部３１の後方に前記低密度部３２が形成される。前記高密度部３１と前記低密度部３２とは連接される。前記各々の連通管５２は、低密度部３２を後方から前方に貫通され、前記連通管５２の各々の前端が低密度部３２より前方の高密度部３１の内部に位置される。尚、本実施例において、前記低密度部３２の空隙率（気孔率）は、８５％〜９３％に設定され、前記低密度部３２の空隙率と前記高密度部３１の空隙率との差は、２０％に設定されている。
【００４１】
前記連通管５２の各々の前端は、塗布液吸蔵体３の軸心から径方向外方に離れた位置に配置される。詳細には、前記連通管５２の各々の前端は、塗布液吸蔵体３の軸心を中心とする同一円周上に等間隔で配置される。本実施例では、連通管５２は２本であるので、前記連通管５２は塗布液吸蔵体３の軸心に対して１８０度対称位置に配置される。前記ペン体２が塗布液吸蔵体３の軸心に位置しているので、前記連通管５２の各々の前端は、ペン体２後端と直接接続されず、ペン体２と非接触状態にあり、塗布液吸蔵体３の内部前方（高密度部３１）を介して塗布液流通可能に接続される。また、前記連通管５２の各々の前端は、ペン体２の後端より僅かに後方に位置している。
【００４２】
・軸方向の距離
尚、本実施例において、前記塗布液吸蔵体３全体の軸方向の長さＬは、３０ｍｍに設定される。また、本実施例において、前記塗布液吸蔵体３の前端から前記連通管５２の各々の前端までの軸方向の距離Ｓ１，Ｓ２は、両者とも４ｍｍに設定される。よって、前記塗布液吸蔵体３の前端から前記連通管５２の各々の前端までの軸方向の距離Ｓ１，Ｓ２は、前記塗布液吸蔵体３全体の軸方向の長さＬの１３．３％（即ち３％〜５０％の範囲内）である。また、本実施例において、前記連通管５２の各々の前端と前記ペン体２の後端との軸方向の距離Ｔ１，Ｔ２は、両者とも１ｍｍ（即ち１０ｍｍ以内）に設定される。
【００４３】
・塗布液タンク
前記塗布液タンク７は、前端が開口し後端が閉鎖された有底筒状体であり、合成樹脂の射出成形またはブロー成形により得られる。前記塗布液タンク７内には、直に塗布液８が貯溜される。
【００４４】
前記塗布液タンク７の前端開口部内面には、中間部材５の接続管５３外面が着脱自在に嵌着される。前記塗布液タンク７の塗布液８が消費され筆記不能となった場合、前記塗布液タンク７を接続管５３から取り外し、内部に塗布液８が充填された新たな塗布液タンク７の前端開口部に接続管５３を挿着する。それにより、再び、筆記可能となる。前記新たな塗布液タンク７の前端開口部は、栓体７１により閉鎖されている。接続管５３を塗布液タンク７の前端開口部に挿着した際、前記栓体７１を接続管５３の突片５３ａにより後方に押圧し、栓体７１を外し、塗布液タンク７の前端開口部が開栓される。
【００４５】
・塗布液
本実施の形態において、前記塗布液８は、例えば、皮膚、頭皮、唇、口腔、毛髪、まゆ毛、まつ毛、唇、歯、爪等の人体の一部に塗布する液体が挙げられる。前記人体に塗布する塗布液８は、薬液（例えば、虫除け液、虫刺され治療液、消毒液、筋肉痛治療液、肩こり治療液、水虫治療液等）、または、化粧液（香水、染毛液、発毛液、育毛液、制汗液、歯のホワイトニング液、マスカラ液、アイライナー液、口紅用液、マニキュア液、除光液、日焼け止め液、しわ伸ばし液、化粧水、美容液等）が挙げられる。
【００４６】
本実施の形態において、前記塗布液８は、例えば、繊維、紙、皮革、木、金属、樹脂、ゴム、ガラス、セラミック、コンクリート、タイル、石材に塗布する液体が挙げられる。さらに、前記塗布液８は、例えば、繊維、紙、皮革、木、金属、樹脂、ゴム、ガラス、セラミック、コンクリート、タイル、石材等からなる表面を清浄化するクリーニング液であることが好ましい。前記クリーニング液は、具体的には、衣類等の染み抜き液、メガネクリーナー用液、床用のクリーナー液、壁用のクリーナー液、窓用のクリーナー液、ＣＤやＤＶＤのクリーナー液、ＯＡ用クリーナー液、電気接点のクリーナー液、車用ハンディウォッシャー液、風呂用ハンディウォッシャー液、貴金属のクリーナー液、家電製品のクリーナー液、水等が挙げられる。
【００４７】
本実施の形態において、前記塗布液８は、例えば、潤滑液、曇り止め液等の親水液、撥水液、液体洗濯糊、液体接着剤、接着剤のプライマー液、調理用油、錆び落とし液、靴墨液等が挙げられる。
【００４８】
本実施の形態において、前記塗布液８は、例えば、水が挙げられる。前記水は、防腐剤、防カビ剤等が添加されることが好ましい。また、前記水は、無色透明（着色剤が無添加）であることが好ましい。
【符号の説明】
【００４９】
１  塗布具
２  ペン体
３  塗布液吸蔵体
３１  高密度部
３２  低密度部
４  軸筒
４１  先細部
４２  本体部
４３  リブ
４３ａ  規制壁部
４３ｂ  筒状壁部
５  中間部材
５１  隔壁
５１ａ  当接壁部
５２  連通管
５２ａ  流通路
５３  接続管
５３ａ  突片
５４  取付筒部
６  尾栓
７  塗布液タンク
７１  栓体
８  塗布液
９  隙間
１０  空気通路
Ｓ１，Ｓ２  塗布液吸蔵体の前端から連通管の前端までの軸方向の距離
Ｔ１，Ｔ２  連通管の前端とペン体の後端との軸方向の距離
【図１】
2010253379.tif 000003
【図２】
2010253379.tif 000004